(57)【要約】【課題】取手孔からの異物の進入を防止でき、手指を掛ける十分なスペースを確保できる取手孔蓋を提供すると共に、蓋自体に加重がかからず、製造容易、取り付け容易な取手孔蓋を提供すること。【解決手段】一方に前記取手孔２０の上下方向の高さよりも寸法の大きい開口部１２を設けた箱状の蓋部１１を有する取手孔蓋１０を、前記開口部１２を筐体外側に向けて、前記取手孔２０を筐体内側から塞ぎ、かつ前記開口部１２の上端は、前記取手孔２０の上端よりも上に位置するように固定する。【選択図】　　図４
2004033326.tif 000002
【特許請求の範囲】
【請求項１】
筐体の少なくとも一面に設けられた取手孔に、筐体内側から取り付けられる取手蓋であって、
一方に前記取手孔の上下方向の高さよりも寸法の大きい開口部を設けた箱状の蓋部と、筐体内側面に固定するための固定部を有し、
前記開口部を筐体外側に向けて、前記取手孔を筐体内側から塞ぎ、かつ前記開口部の上端は、前記取手孔の上端よりも上に位置するように固定されることを特徴とする遊技機用筐体の取手孔蓋。
【請求項２】
前記開口部の外周にわたり、筐体内面と密着可能なフランジ部を設けたことを特徴とする請求項１記載の遊技機用筐体の取手孔蓋。
【請求項３】
前記蓋部の開口部側の少なくとも下端部に、前記取手孔の少なくとも下縁部と密着可能な取手孔内に突出する鍔部を設けたことを特徴とする請求項１又は２記載の遊技機用筐体の取手孔蓋。
【請求項４】
前記蓋部の外面であって、少なくとも前記固定部を有する一の面に、外方向に張り出すリブを形成したことを特徴とする請求項１乃至３のいずれか１項に記載の遊技機用筐体の取手孔蓋。
【発明の詳細な説明】
【０００１】
【発明の属する技術分野】
この発明は、スロットマシンなど遊技場に設置される箱形の筐体を有する遊技機の、筐体に設けられた取手孔に固定される蓋、さらに詳しくは、前記取手孔を筐体内部から塞ぐ取手孔蓋に関するものである。
【０００２】
【従来の技術】
筐体内に遊技のための装置や制御基板などを内蔵してあるスロットマシンなどの遊技機においては、遊技機を持ち運ぶ際に手掛りとするために、筐体の側板などに横長の孔を設けてある。この孔は、持ち易さの観点から、貫通孔であることが多い。
【０００３】
【発明が解決しようとする課題】
しかし、上記したように貫通孔を取手とすると、この孔から針金などを差し込んで、内部装置を傷つけ誤作動を起こさせるなどの不正行為が行われるおそれがある。かといって、進入物が筐体内部に挿入されないよう孔を裏側から塞ぐと、手指を引っかける部分が少なくなるので持ちにくい。
【０００４】
そこで、各請求項に記載された発明は、上記した従来の技術の有する問題点に鑑みてなされたものであり、その目的とするところは、以下の点にある。
（請求項１）
すなわち、請求項１記載の発明は、取手孔からの異物の進入を防止でき、手指を掛ける十分なスペースを確保できる取手孔蓋を提供すると共に、蓋自体に加重がかからず、製造容易、取り付け容易な取手孔蓋を提供しようとするものである。
【０００５】
（請求項２）
請求項２記載の発明は、上記した請求項１記載の発明の目的に加え、次の点を目的とする。
すなわち、請求項２記載の発明は、不正行為防止効果の高い取手孔蓋を提供しようとするものである。
【０００６】
（請求項３）
請求項３記載の発明は、上記した請求項１又は２記載の発明の目的に加え、次の点を目的とする。
すなわち、請求項３記載の発明は、より取り付け容易な取手孔蓋を提供しようとするものである。
【０００７】
（請求項４）
請求項４記載の発明は、上記した請求項１乃至３のいずれか１項に記載の発明の目的に加え、次の点を目的とする。
すなわち、請求項４記載の発明は、さらに取り付けが容易で、かつ不正行為防止効果の高い取手孔蓋を提供しようとするものである。
【０００８】
【課題を解決するための手段】
請求項に記載された発明は、上記した各目的を達成するためになされたものであり、各発明の特徴点を図面に示した発明の実施の形態を用いて、以下に説明する。
（請求項１）
（特徴点）
請求項１記載の発明は、次の点を特徴とする。
【０００９】
すなわち、請求項１記載の発明は、筐体（１）の少なくとも一面に設けられた取手孔（２０）に、筐体内側から取り付けられる取手蓋（１０）であって、一方に前記取手孔（２０）の上下方向の高さよりも寸法の大きい開口部（１２）を設けた箱状の蓋部（１１）と、筐体内側面（例えば側板内面４１）に固定するための固定部を有し、前記開口部（１２）を筐体外側に向けて、前記取手孔（２０）を筐体内側から塞ぎ、かつ前記開口部（１２）の上端は、前記取手孔（２０）の上端よりも上に位置するように固定されることを特徴とする。
【００１０】
本発明は、筐体（１）の少なくとも一面に設けられた取手孔（２０）に、筐体内側から固定される取手蓋（１０）である。取手孔（２０）は、例えば相対向する側板（４０）に一対設けられたものが一般的であるが、筐体（１）を上に持ち上げるための手掛りとなるものであれば、その他の面、例えば背面等にあるものでもよい。取手蓋（１０）は、開口部（１２）の外側に固定部を有し、筐体内側から取り付けられ、ねじ等により固定される。すなわち、筐体外部から取り外しができないようになっているものである。なお固定部は、例えば図６に示すように、蓋部（１１）の外側に設けられたねじ穴（１４）を有するフランジとすることができる。
【００１１】
また、取手蓋（１０）は、取手孔（２０）を筐体内側から塞ぐものである。すなわち、取手蓋（１０）の箱状の蓋部（１１）が取手孔（２０）を筐体内側から覆い隠すように取り付けられる。さらに、取手蓋（１０）の開口部（１２）は、取手孔（２０）の高さ寸法よりも大きく形成されていると共に、開口部（１２）上端は、取手孔（２０）の上端（取手孔上縁部２１）よりも上に位置するように固定される。開口部（１２）の幅寸法は、取手孔（２０）の左右端部に筐体外側から筐体内側に貫通する隙間が形成されない寸法であればよい。
【００１２】
なお、取手蓋（１０）の開口部（１２）下端は、少なくとも取手孔（２０）の下端（取手孔下縁部２２）に筐体外側から筐体内側に貫通する隙間が形成されない位置であればよく、取手孔下縁部２２よりも下方に位置していてもよい。ただ、開口部（１２）に埃などが溜まらないよう、取手蓋（１０）の開口部（１２）下端は取手孔下縁部２２とほぼ同じ高さにするのが望ましい。
【００１３】
（作用）
本発明によれば、取手蓋（１０）の箱状の蓋部（１１）が取手孔（２０）を筐体内側から塞ぐ形となるため、取手孔（２０）の筐体内側に空間（指入れ用空間１７）が形成される。そして、取手蓋（１０）の開口部（１２）上端は、取手孔（２０）の上端（取手孔上縁部２１）よりも上になるので、取手孔（２０）の筐体内側上方にも空間（指入れ用空間１７）が形成される。従って、取手孔（２０）に手指を引っかけるときに、取手蓋（１０）が邪魔になることがなく、手指を取手孔上縁部２１にしっかり引っかけることができるので持ちやすい。
【００１４】
また、本発明においては、取手孔（２０）を蓋部（１１）が開口部（１２）で塞ぐ形となるため、筐体（１）を持ち上げるときには、取手孔上縁部２１に力が加わり、取手蓋（１０）には直接力が掛からないので、取手蓋（１０）の構造や取り付け方法を比較的簡単なものとすることができる。
（請求項２）
（特徴点）
請求項２記載の発明は、上記した請求項１記載の発明の特徴点に加え、次の点を特徴とする。
【００１５】
すなわち、請求項２記載の発明は、前記開口部（１２）の外周にわたり、筐体内面と密着可能なフランジ部（１３）を設けたことを特徴とする。
前記フランジ部（１３）は、開口部（１２）の外周にわたって開口面と水平に形成された張り出し部であり、取手蓋（１０）を取り付けたときに、筐体内面に密着するように形成されている。なお、このフランジ部（１３）に、固定部としてねじ穴（１４）等を設けてもよい。
【００１６】
（作用）
本発明によれば、取手孔（２０）を蓋部（１１）が開口部（１２）で塞ぎ、蓋部（１１）と筐体内面との隙間をフランジ部（１３）が塞ぐものとなる。従って、蓋部（１１）と筐体内面との隙間にドライバー等を差し込んでこじ開けられることもない。また、フランジ部（１３）により蓋部（１１）の強度も増すので、取手蓋（１０）をプラスチック等で形成しても十分不正行為防止の機能を果たす。
【００１７】
（請求項３）
（特徴点）
請求項３記載の発明は、上記した請求項１又は２記載の発明の特徴点に加え、次の点を特徴とする。
すなわち、請求項３記載の発明は、前記蓋部（１１）の開口部側の少なくとも下端部に、前記取手孔（２０）の少なくとも下縁部（取手孔下縁部２２）と密着可能な取手孔（２０）内に突出する鍔部（１６）を設けたことを特徴とする。
【００１８】
前記鍔部（１６）は、蓋部（１１）の開口部側の少なくとも下端部に設けられるものであり、蓋部（１１）の開口部側の左右の側端部に連続して形成されていてもよい。そして、鍔部（１６）は、少なくとも取手孔下縁部（２２）と密着可能に形成されていると共に、取り付け時には取手孔（２０）内に突出するよう形成されている。すなわち、鍔部（１６）は、蓋部（１１）の開口部側端部に形成された、少なくとも取手孔下縁部（２２）と同形状の外周を有する突起部である。例えば、取手孔（２０）が長方形状の横長孔の場合には、鍔部（１６）は蓋部（１１）の開口部側下端部に形成された直線の突状とすることができる。
【００１９】
（作用）
本発明によれば、前記鍔部（１６）は蓋部（１１）の開口部側端部よりも突出しているので、取手蓋（１０）を、鍔部（１６）が筐体内側から取手孔（２０）内へ突出する場所に位置させなければ、蓋部（１１）開口部側端部と筐体内面との間に隙間が生じ、取手孔（２０）を蓋部（１１）で塞ぐことができない。換言すれば、鍔部（１６）を設けたことにより、取手蓋（１０）の取り付け時の位置決めができることとなる。さらに、鍔部（１６）は、取手孔下縁部（２２）と密着可能に形成されているので、位置決めがより容易に行えると共に、鍔部（１６）が蓋部（１１）と取手孔下縁部（２２）との隙間を塞ぐので、この隙間からドライバー等を差し込んでの不正行為を防止することができる。
【００２０】
また、鍔部（１６）を蓋部（１１）の開口部側の少なくとも下端部に設けることにより、蓋部（１１）の内下面と取手孔下縁部（２２）とがほぼ水平となり、蓋部（１１）の内部に埃等が溜まることがない。
（請求項４）
（特徴点）
請求項４記載の発明は、上記した請求項１乃至３のいずれか１項に記載の発明の特徴点に加え、次の点を特徴とする。
【００２１】
すなわち、請求項４記載の発明は、前記蓋部（１１）の外面であって、少なくとも前記固定部を有する一の面に、外方向に張り出すリブ（１５）を形成したことを特徴とする。
本発明は、蓋部（１１）の上面又は下面又は左右の側面であって、少なくとも固定部（例えばねじ穴１４）が形成されている一の面に補強のためのリブ（１５）を設けたものである。「少なくとも固定部が形成されている一の面」とは、固定部の形成された面以外の面にもリブ（１５）を設けることができ、固定部が複数形成されている場合にはそのうちの一面に設ければ足りるという意味である。例えば、蓋部（１１）の上面に固定部がある場合には少なくとも蓋部（１１）の上面に、蓋部（１１）の下面に固定部がある場合には少なくとも蓋部（１１）の下面に、あるいは蓋部（１１）の上面及び下面の双方に固定部がある場合には、少なくとも蓋部（１１）の上面又は下面のいずれか一方又は双方に、リブ（１５）を形成したものとすることができる。
【００２２】
リブ（１５）は、例えば図６（Ａ）に示すように、蓋部（１１）の上面から立ち上がり筐体内面（例えば側板内面４１）に当接する小口面を有する板状部材とすることもでき、図６（Ｃ）に示すように、蓋部（１１）の外側面から横方向に張り出し筐体内面に当接する小口面を有する板状部材とすることもできる。あるいは図３及び図４に示すような、蓋部（１１）とフランジ部（１３）との間に設けられた連結板としてもよい。
【００２３】
（作用）
本発明によれば、取手蓋（１０）の蓋部（１１）を取手孔（２０）の外側から押し込むなどして横方向から力が掛かっても、リブ（１５）がその圧力を支持するので、取手蓋（１０）の変形を少なくすることができる。従って、取手蓋（１０）を取り付ける際、固定部を一か所、例えば蓋部（１１）の上面に設けただけであっても、取手蓋（１０）に横方向からの力が加えられた場合に蓋部（１１）がたわんで、蓋部（１１）の下面側に隙間を生じ、そこから物を差し込まれるといった不正行為は行いにくくなる。
【００２４】
【発明の実施の形態】
本発明を表す好適な実施の形態を、遊技機としてスロットマシンを例に、図面に基づき説明する。
（図面の説明）
図１乃至図６は、本発明の実施の形態を示すものである。
【００２５】
図１は遊技機の筐体を示す斜視図、図２は取手孔蓋の正面図、図３は取手孔蓋の平面図、図４は取手孔蓋を取り付けた状態の縦断面図である。図５及び図６は本実施の形態の他の例を示す図である。
図１は、スロットマシンＳの外観正面の一部を示す斜視図である。
スロットマシンは、正面側に開口する箱形の筐体１を有し、筐体１の開口上部内には、特に図示しないが、複数の回転リールとこの回転リールを回転させるための駆動モータを備えたリールユニット、遊技等の制御を行うための制御基板などが内蔵されており、筐体１の開口下部内には、遊技メダルを払い出すためのホッパーユニットや電源ボックスなどが内蔵されている。
【００２６】
そして、筐体１の開口部には、前扉３０が開閉自在に取り付けられており、この前扉３０がスロットマシンＳの正面構造を形成している。すなわち、回転リールの図柄を視認可能な図柄表示窓３１や、遊技メダルを投入するためのメダル投入口３２や、回転リールの回転及び停止を操作するためのスタートレバー３３、ストップスイッチ３４が設けられている。また、特に図示しないが、前扉３０の下方には、遊技メダルを払い出すメダル排出口と、払い出されたメダルをためておくためのメダル受け皿が設けられている。
【００２７】
前記筐体１の左右の側板４０には、このスロットマシンＳを設置、運搬する際に持ち上げやすいように、取手孔２０が設けられている。取手孔２０は、側板４０の高さ方向中央よりもやや上方に穿設された横長の長孔であり、ここに手指を引っかけて、スロットマシンＳを持ち上げるものである。
そして、この取手孔２０には、筐体１の内部側から取手孔蓋１０が取り付けられている。
【００２８】
（取手孔蓋１０）
取手孔蓋１０は、図２及び図３に示すように、合成樹脂により箱状に形成された蓋部材であり、開口部１２を有する蓋部１１と、開口部１２の外周にフランジ部１３を有している。そして、側板内面４１に、取手孔２０を筐体内側４０方向から塞ぐように取り付けられる。すなわち、前記開口部１２を取手孔２０側に向け、前記フランジ部１３が側板内面４１に当設した状態で、ねじ等により固定されるものである。
【００２９】
前記開口部１２の上下方向の径は、取手孔２０の上下方向の径よりも大きく形成されている。また、開口部１２の横幅は、取手孔２０の横幅よりも僅かに小さく形成されている。
さらに、開口部１２の下方には、取手孔２０の下縁部２２と密着可能な鍔部１６が設けられている。この鍔部１６の表面は、蓋部１１の内側下面と面一に形成され、側板４０の厚みの略四分の一乃至三分の一程度の幅をもってフランジ部１３から突出している。そして、鍔部１６の裏面外周は、図２に示すように、取手孔２０の内周下半分とほぼ一致する形状となっている。なお、鍔部１６は、後述するが、取り付け時に取手孔２０内に位置するものとなるので、取手孔２０への手指の挿入の邪魔にならない程度の幅及び厚みに形成するのが望ましい。
【００３０】
前記フランジ部１３は、開口部１２の外周にわたって外側に張り出した板状部材であり、固定部として上下にねじ穴１４を設けてある。また、前記蓋部１１の上面には、フランジ部１３との間に、筐体内面の垂直方向に補強のためのリブ１５が形成されている。なお、リブ１５は、蓋部１１の上面だけでなく、下面や左右の側面に設けてあってもよい。
【００３１】
上記構成を有する取手孔蓋１０を、取手孔２０への取り付ける場合には、取手孔蓋１０を、開口部１２が取手孔２０側に向くようにし、フランジ部１３を筐体１の側板内面４１に取手孔２０を塞ぐ形に合わせる。このとき、鍔部１６が位置決めをするのに役立つ。すなわち、鍔部１６はフランジ部１３よりも突出しており、かつ鍔部１６の裏面外周は取手孔２０の内周下半分とほぼ一致しているので、フランジ部１３を側板内面４１に当設させた状態で、鍔部１６が取手孔２０内に嵌り込む。さらにその状態で取手孔蓋１０を下方に移動させれば、鍔部１６が取手孔下縁部２２と密着する。詳しくは、鍔部１６の裏面外周のフランジ部１３との付け根の部分が、取手孔下縁部２２の隅角部２２ａに当接し、かつ鍔部１６の裏面外周が取手孔下縁部２２と当接している。
【００３２】
取手孔蓋１０の位置決めができたところで、ねじ穴１４を介して木ねじ等で側板内面４１に固定する。すると、図４に示すような状態となる。すなわち、取手孔蓋１０を取り付けた取手孔２０は、図４に示したように、筐体外側６０からは手指を差し込むことができる開口となっているが、筐体内側５０は、図４に示すように、取手孔蓋１０の蓋部１１が取手孔２０を塞ぐ形となっている。すなわち、筐体外側６０と筐体内側５０とが貫通しないようになっている。
【００３３】
さらに、開口部１２の上下方向の寸法は、取手孔２０の上下方向の寸法よりも大きく形成されており、かつ、開口部１２の下端に設けられた鍔部１６が取手孔下縁部２２と密着しているので、取手孔２０の筐体内側からその上部にまで続く指入れ用空間１７が形成される。
なお、蓋部１１の内側下面は、取手孔下縁部２２に向かって上から若干傾斜する形となっているため、蓋部１１内に埃等が溜まることがない。
【００３４】
（取手孔蓋１０の機能）
以上のようにして取手孔蓋１０を取り付け固定したスロットマシンＳにおいては、取手孔２０から棒などの異物を進入させて、内部装置を誤作動等させる不正行為をしようとしても、蓋部１１に阻まれて異物は進入できない。また、フランジ部１３が側壁内面４１に密着し、かつ鍔部１６も取手孔下縁部２２と密着していることから、隙間から異物を差し込まれる事もない。さらに、取手孔蓋１０は、筐体内側５０方向からねじ止めされていて、筐体外側６０からねじを緩めることは不可能であり、前扉３０を開けない限り取手孔蓋１０を取り外すことはできない。従って、取手孔蓋１０の固定方法は比較的簡単なものでもよく、取り付け作業が容易となる。
【００３５】
ところで、本実施の形態においては、取り付けの際、下側のねじ止めを省略してもよい。というのは、蓋部１１の上面にリブ１５が設けてあるので、取手孔２０の外側から横方向（図４に示す白抜き矢印方向）に蓋部１１が押されても、取手孔蓋１０のたわみが少なく、蓋部１１の下面側のフランジ部１３と側板内面４１との間に隙間が生じ難い。また、間隙が生じたとしても鍔部１６が設けてあるので、筐体外側６０から物を差し込んだりするこができない。つまり、ねじ止めが一か所であっても、十分に不正防止効果を発揮するからである。
【００３６】
なお、本実施の形態では、蓋部１１の上面にリブ１５を形成し、ねじ穴１４をフランジ部１３の上下に設けてねじにより固定されているが、図５（Ａ）に示すように、蓋部１１の下面にリブ１５を形成し、ねじ穴１４をフランジ部１３の上下に設けてねじにより固定してもよい。この場合は、上側のねじ止めを省略することができる。また、図５（Ｂ）に示すように、蓋部１１の左右どちらかの外側面にリブ１５を形成し、左右のフランジ部１３にねじ穴１４を設けねじで固定してもよい。この場合は、リブ１５を形成した面と反対側にある面のねじ止めを省略することができる。
【００３７】
次に、このスロットマシンＳを運搬する場合には、側板４０に形成された取手孔２０に手指を差し込んで上方に持ち上げる。このとき、取手孔２０の筐体内側５０には、指入れ用空間１７が形成されているので、持ち上げやすい。また、持ち上げ時、手による加重を支えるのは取手孔上縁部２１であるので、取手孔蓋１０に力が加わり変形する等のトラブルも防げる。
【００３８】
なお、前記指入れ用空間１７は、人が指を取手孔上縁部２１に引っかけたときに蓋部１１が邪魔にならない程度の奥行きがあればよいので、取手孔蓋１０を付けたことにより筐体内のスペースが狭められるということもない。
このように、本発明に係る取手孔蓋１０によれば、筐体１内部に収納された装置類を不正行為から守ることができると共に、筐体１を持ち運ぶ際も邪魔にならず、筐体内部のスペースも十分確保できる。また、本発明に係る取手孔蓋１０は着脱容易であり、再使用可能なことから、経済性、環境性にも優れている。
【００３９】
【発明の効果】
本発明は、以上のように構成されているので、以下に記載されるような効果を奏する。
（請求項１）
すなわち、請求項１記載の発明によれば、取手孔からの異物の進入を防止でき、手指を掛ける十分なスペースを確保できる取手孔蓋を提供すると共に、蓋自体に加重がかからず、製造容易、取り付け容易な取手孔蓋を提供することができる。
【００４０】
（請求項２）
請求項２記載の発明によれば、上記した請求項１記載の発明の効果に加え、次のような効果を奏する。
すなわち、請求項２記載の発明によれば、不正行為防止効果の高い取手孔蓋を提供することができる。
【００４１】
（請求項３）
請求項３記載の発明によれば、上記した請求項１又は２記載の発明の効果に加え、次のような効果を奏する。
すなわち、請求項３記載の発明によれば、より取り付け容易な取手孔蓋を提供することができる。
【００４２】
（請求項４）
請求項４記載の発明によれば、上記した請求項１乃至３のいずれか１項に記載の発明の効果に加え、次のような効果を奏する。
すなわち、請求項４記載の発明によれば、さらに取り付けが容易で、かつ不正行為防止効果の高い取手孔蓋を提供することができる。
【図面の簡単な説明】
【図１】本発明の実施の形態であって、遊技機の筐体を示す斜視図である。
【図２】本発明の実施の形態であって、取手孔蓋の正面図である。
【図３】
本発明の実施の形態であって、取手孔蓋の平面図である。
【図４】本発明の実施の形態であって、取手孔蓋を取り付けた状態の縦断面図である。
【図５】本発明の他の実施の形態であって、取手孔蓋の正面図である。
【図６】本発明の他の実施の形態であって、取手孔蓋の正面図である。
【符号の説明】
１　筐体
１０　取手孔蓋　　　　　　　　　　　　１１　蓋部
１２　開口部　　　　　　　　　　　　　１３　フランジ部
１４　ねじ穴　　　　　　　　　　　　　１５　リブ
１６　鍔部　　　　　　　　　　　　　　１７　指入れ用空間
２０　取手孔　　　　　　　　　　　　　２１　取手孔上縁部
２２　取手孔下縁部
３０　前扉　　　　　　　　　　　　　　３１　図柄表示窓
３２　メダル投入口　　　　　　　　　　３３　スタートレバー
３４　ストップスイッチ
４０　側板　　　　　　　　　　　　　　４１　側板内面
４２　側板外面
５０　筐体内側　　　　　　　　　　　　６０　筐体外側
【図１】
2004033326.tif 000003
【図２】
2004033326.tif 000004
【図３】
2004033326.tif 000005
【図４】
2004033326.tif 000006
【図５】
2004033326.tif 000007
【図６】
2004033326.tif 000008